(57)【特許請求の範囲】
【請求項１】
内周に凹曲面からなる外軌道面を有している外輪と、
外周に凹曲面からなる内軌道面を二列有している内輪と、
前記外軌道面と前記内軌道面との間に二列配置されている複数の球面ころと、
二列の前記球面ころを列毎に周方向に間隔をあけて保持するために当該球面ころを収容するポケットを複数有する保持器と、
前記保持器と前記内輪との間であって前記二列の球面ころの列間に設けられている案内輪と、を備え、
前記球面ころが、前記外軌道面及び前記内軌道面それぞれとの接触点を通過する仮想線回りに回転することのある自動調心ころ軸受であって、
前記ポケットは、前記球面ころとの間に隙間を有し当該球面ころの前記回転を制限する大きさに設定されており、
前記ポケット内で前記球面ころが制限される最大量について前記仮想線回りに回転しても、当該球面ころと前記案内輪との間に微小隙間を確保することのできる側面形状を、前記案内輪は有していて、
前記案内輪は、前記側面形状として、径方向中間部で当該案内輪の軸方向寸法が小さくなり、径方向内側部で当該案内輪の軸方向寸法が拡大する凹形状を有している、自動調心ころ軸受。
【請求項２】
内周に凹曲面からなる外軌道面を有している外輪と、
外周に凹曲面からなる内軌道面を二列有している内輪と、
前記外軌道面と前記内軌道面との間に二列配置されている複数の球面ころと、
二列の前記球面ころを列毎に周方向に間隔をあけて保持するために当該球面ころを収容するポケットを複数有する保持器と、
前記保持器と前記内輪との間であって前記二列の球面ころの列間に設けられている案内輪と、を備え、
前記球面ころが、前記外軌道面及び前記内軌道面それぞれとの接触点を通過する仮想線回りに回転することのある自動調心ころ軸受であって、
前記ポケットは、前記球面ころとの間に隙間を有し当該球面ころの前記回転を制限する大きさに設定されており、
前記ポケット内で前記球面ころが制限される最大量について前記仮想線回りに回転しても、当該球面ころと前記案内輪との間に微小隙間を確保することのできる側面形状を、前記案内輪は有していて、
前記保持器は、二列の前記球面ころの列間に位置する円環部、及び当該円環部から軸方向両側それぞれに延在している複数の柱部を有し、
前記円環部は、内周側に前記案内輪の外周面に接触可能となる接触部を有し、
前記案内輪の外周面の軸方向寸法は、前記接触部の軸方向寸法よりも大きい、自動調心ころ軸受。
【発明の詳細な説明】
【技術分野】
【０００１】
本発明は、自動調心ころ軸受に関する。
【背景技術】
【０００２】
従来、自動調心ころ軸受として、例えば、特許文献１に記載のものが知られている。自動調心ころ軸受は、図９の縦断面図に示しているように、内周に外軌道面８２を有している外輪８１と、外周に二列の内軌道面８３を有している内輪８４と、外軌道面８２と二列の内軌道面８３との間に二列配置されている球面ころ８６と、各列の複数の球面ころ８６を保持している環状の保持器８８と、保持器８８と内輪８４との間であって二列の球面ころ８６の列間に設けられている環状の案内輪９０とを備えている。
【０００３】
保持器８８は、二列の球面ころ８６の列間に位置する円環部９１、及びこの円環部９１から軸方向両側それぞれに延在している複数の柱部９２を有している。そして、各列において周方向で隣り合う柱部９２の間に形成される領域が、球面ころ８６を収容する（保持する）ポケット９４となる。つまり、柱部９２の周方向側面９２ａ及び円環部９１の軸方向側面９１ａが、球面ころ８６と対向するポケット面となる。
【０００４】
そして、保持器８８の円環部９１は、内周側に、案内輪９０の外周面９０ａに接触可能である接触部９３を有しており、これにより、保持器８８は案内輪９０によって径方向について位置決めされる。接触部９３と案内輪９０との間には径方向の隙間が設けられており、また、内輪８４と案内輪９０との間には径方向の隙間が設けられており、案内輪９０は、内輪８４及び保持器８８に対して独立して自由に回転できる構成となっている。
【先行技術文献】
【特許文献】
【０００５】
【特許文献１】特開２０１２−１７７７０号公報
【発明の概要】
【発明が解決しようとする課題】
【０００６】
前記のとおり、球面ころ８６は、保持器８８のポケット９４に収容された状態にあり、各球面ころ８６がころ中心線回りに回転できるように、その球面ころ８６とポケット９４（前記ポケット面）との間には所定の隙間が設けられている。
【０００７】
このような自動調心ころ軸受では、球面ころ８６は、外軌道面８２及び内軌道面８３それぞれとの接触点Ｐ１，Ｐ２を通過する仮想線Ｌ１回りに微小角度について回転することがある。この場合、球面ころ８６の端面８６ａが案内輪９０の側面９０ｂに接触することがあり、特に、軸方向一方側（図９の左側）の球面ころ８６と、軸方向他方側（図９の右側）の球面ころ８６とが相互で異なる方向（図９の矢印ｒ１と矢印ｒ２）に回転した場合、案内輪９０が軸方向両側の球面ころ８６の間に挟まれ、案内輪９０が摩耗する等の不具合が生じることがある。案内輪９０から摩耗粉が発生すると、その摩耗粉が軌道面に浸入して軸受寿命に悪影響を与えるおそれがある。
【０００８】
そこで、本発明は、自動調心ころ軸受が備えている案内輪における不具合の発生を抑えることを目的とする。
【課題を解決するための手段】
【０００９】
本発明は、内周に凹曲面からなる外軌道面を有している外輪と、外周に凹曲面からなる内軌道面を二列有している内輪と、前記外軌道面と前記内軌道面との間に二列配置されている複数の球面ころと、二列の前記球面ころを列毎に周方向に間隔をあけて保持するために当該球面ころを収容するポケットを複数有する保持器と、前記保持器と前記内輪との間であって前記二列の球面ころの列間に設けられている案内輪と、を備え、前記球面ころが、前記外軌道面及び前記内軌道面それぞれとの接触点を通過する仮想線回りに回転することのある自動調心ころ軸受であって、前記ポケットは、前記球面ころとの間に隙間を有し当該球面ころの前記回転を制限する大きさに設定されており、前記ポケット内で前記球面ころが制限される最大量について前記仮想線回りに回転しても、当該球面ころと前記案内輪との間に微小隙間を確保することのできる側面形状を、前記案内輪は有している。
【００１０】
本発明によれば、球面ころが、外軌道面及び内軌道面それぞれとの接触点を通過する仮想線回りに回転しても、その球面ころと案内輪とが接触するのを防ぐことができ、案内輪が摩耗する等の不具合の発生を抑えることができる。
【００１１】
また、前記案内輪は、前記側面形状として、径方向中間部で当該案内輪の軸方向寸法が小さくなり、径方向内側部で当該案内輪の軸方向寸法が拡大する凹形状を有しているのが好ましい。
この構成によれば、案内輪は、側面形状として前記凹形状を有していることで、ポケット内で球面ころが制限される最大量について前記仮想線回りに回転しても、当該球面ころと案内輪との間に微小隙間を確保することができる。更に、案内輪は、径方向中間部で軸方向寸法が小さくなっているが、径方向内側部で軸方向寸法が拡大していることから、この案内輪は内輪との接触領域を増やすことができる。
【００１２】
また、前記保持器は、二列の前記球面ころの列間に位置する円環部、及び当該円環部から軸方向両側それぞれに延在している複数の柱部を有し、前記円環部は、内周側に前記案内輪の外周面に接触可能となる接触部を有し、前記案内輪の外周面の軸方向寸法は、前記接触部の軸方向寸法よりも大きいのが好ましい。
この場合、案内輪が保持器を安定して支持することのできる構成が得られる。
【発明の効果】
【００１３】
本発明によれば、球面ころが、外軌道面及び内軌道面それぞれとの接触点を通過する仮想線回りに回転しても、その球面ころと案内輪とが接触するのを防ぐことができ、案内輪が摩耗する等の不具合の発生を抑えることができる。これにより、案内輪の摩耗粉が軌道面に浸入して軸受寿命に悪影響を与えるのを防ぐことが可能となる。
【図面の簡単な説明】
【００１４】
【図１】本発明の自動調心ころ軸受の実施の一形態を示す縦断面図である。
【図２】保持器の断面図である。
【図３】保持器の一部及び球面ころを径方向外側から見た図である。
【図４】案内輪及びその周囲を示す断面図であり、球面ころの回転前の状態を示している。
【図５】案内輪及びその周囲を示す断面図であり、球面ころが微小角度について回転した状態を示している。
【図６】案内輪の側面を示す拡大図である。
【図７】案内輪の変形例を説明するための断面図である。
【図８】（Ａ）は回転前の球面ころを示しており、（Ｂ）は仮想線回りに微小角度について回転した球面ころを示している説明図である。
【図９】従来の自動調心ころ軸受の縦断面図である。
【発明を実施するための形態】
【００１５】
図１は、本発明の自動調心ころ軸受の実施の一形態を示す縦断面図である。この自動調心ころ軸受は、同心状に配置された外輪１及び内輪２と、これら外輪１と内輪２との間に二列配設された複数の球面ころ３と、この二列の球面ころ３を列毎に周方向に間隔をあけて保持する保持器５と、この保持器５と内輪２との間であって二列の球面ころ３，３の列間に設けられている環状の案内輪６とを備えている。なお、本実施形態では、この軸受の軸方向を、左右方向として説明することもある。
【００１６】
外輪１は、左右対称に形成されており、その内周には単一の外軌道面１１が形成されている。外軌道面１１は凹曲面からなり、軸受の図外の軸線上の点（軸受の中心点）から所定の半径を有する球面（球面の一部）に沿った形状である。このため、図１に示すように、軸受の軸線（中心線）を含む断面、つまり、縦断面において、外軌道面１１の形状は円弧となる。
【００１７】
内輪２も、左右対称に形成されており、その外周には二列の内軌道面２１が形成されている。内軌道面２１は凹曲面からなり、図１に示すように、軸受の縦断面において、各内軌道面２１の形状は円弧となり、この円弧は、外輪１の外軌道面１１を形成する前記球面（球面の一部）の半径と同じ半径を有している。また、内輪２の外周面には、二列の内軌道面２１，２１の間に円筒面２２が形成されており、円筒面２２は、軸受の軸線に平行な面である。さらに、内輪２は、内軌道面２１の軸方向外側に、球面ころ３の脱落を防止する鍔部２３を有している。
【００１８】
前記球面ころ３は樽形であり、凸曲面からなる外周面３２を有し、外軌道面１１及び内軌道面２１を転動する。球面ころ３は、外輪１の外軌道面１１と内輪２の二列の内軌道面２１との間に二列で配置されており、各列に周方向に沿って複数設けられている。
【００１９】
図２は、保持器５の断面図である。図３は、保持器５の一部及び球面ころ３を径方向外側から見た図である。保持器５は、全体として環状であり、中央の円環部５０と、この円環部５０から軸方向両側それぞれに延在している柱部５１とを有している。円環部５０、軸方向一方側（図３では左側）にある第１の柱部５１、及び、軸方向他方側（図３では右側）にある第２の柱部５１は一体となっている。
【００２０】
円環部５０は、円環状の部分であり、二列の球面ころ３，３の列間に位置する。第１の柱部５１は周方向に関して等間隔に配設されており、第２の柱部５１は周方向に関して等間隔に配設されている。そして、周方向で隣り合う第１の柱部５１の間にポケット５３が形成されており、また、周方向で隣り合う第２の柱部５１の間にもポケット５３が形成されている。軸方向一方側の列及び他方側の列それぞれに含まれる球面ころ３は、全て同じ形状を有しており、また、軸方向一方側のポケット５３と他方側のポケット５３とは、全て同じ形状を有している。そして、一つのポケット５３に、一つ球面ころ３が保持されている。
【００２１】
以上より、各列に含まれる複数の球面ころ３が、保持器５によって周方向に所定間隔（本実施形態では等間隔）あけて保持されており、この保持器５は、二列の球面ころ３，３を列毎に周方向に間隔をあけて保持するために、球面ころ３を収容するポケット５３を複数有する構成となっている。そして、柱部５１の周方向に臨む側面５１ａ（以下、周方向側面５１ａという）、及び、円環部５０の軸方向に臨む側面５０ａ（以下、軸方向側面５０ａという）は、球面ころ３と隙間（Ｋ１，Ｋ２）を有して対向しかつ接触可能となるポケット面となる。
【００２２】
図１において、案内輪６は、円環状の部材であり、保持器５の円環部５０と内輪２との間であって、二列の球面ころ３，３の列間に設けられている。案内輪６は、内輪２の円筒面２２の径方向外側であって、保持器５の円環部５０の径方向内側に設けられており、また、円筒面２２との間に隙間が設けられ、円環部５０の内周面５６との間に隙間が設けられている。このため、案内輪６は、円筒面２２によって、径方向について僅かな移動代を有した状態で位置決めされている。また、保持器５は、この案内輪６によって、径方向について僅かな移動代を有した状態で位置決めされる。
【００２３】
保持器５の形状について更に説明する。図２において、円環部５０は、その内周側に、案内輪６の外周面６２に接触可能となる接触部５５を有している。この接触部５５により、保持器５は径方向について位置決めされる。
保持器５、内輪２、及び案内輪６が同心状に配置された状態で、接触部５５の内周面５６、及び案内輪６の外周面６２は、内輪２の軸線を中心とする円筒面を構成する。また、接触部５５の内周面５６と案内輪６の外周面６２との間には径方向の隙間が設けられており、また、図１において、内輪２の円筒面２２と案内輪６の内周面７との間には径方向の隙間が設けられており、案内輪６は、内輪２及び保持器５に対して独立して自由に回転できる構成となっている。
【００２４】
本実施形態において、外輪１、内輪２、及び球面ころ３は軸受鋼等からなる。案内輪６は鋳鉄製であるが、その他の金属製であってもよい。また、保持器５は黄銅製であるが、その他の金属製であってもよい。
【００２５】
以上の構成を備えている自動調心ころ軸受（図１参照）では、軸受（本実施形態では内輪２）が回転している際に、軸方向一方側及び他方側それぞれの列に含まれる各球面ころ３は、外軌道面１１及び内軌道面２１それぞれとの接触点Ｐ１，Ｐ２を通過する仮想線Ｌ１回りに微小角度について回転する（傾く）ことがある。図８の（Ａ）は回転前の球面ころ３を示しており、（Ｂ）は仮想線Ｌ１回りに微小角度について回転した球面ころ３を示している。仮想線Ｌ１回りに球面ころ３が回転すると（図８（Ｂ）の状態）、その球面ころ３の縦断面における輪郭形状は変化する。つまり、回転前では、縦断面において端面３３は直線形状であるが、回転後では、縦断面において端面３３は凸曲面となる。なお、前記接触点Ｐ１，Ｐ２は、図１に示すように、球面ころ３の外周面３２において中央部の点である。
【００２６】
このように各球面ころ３は、前記仮想線Ｌ１回りに回転することがあるが、図３に示すように、各球面ころ３は保持器５のポケット５３に収容された状態にあることから、その回転は微小となる所定角度の範囲に制限される。つまり、軸方向一方側（図３では左側）の球面ころ３が、仮想線Ｌ１を中心として時計回り方向（図３の矢印ｒ１）に回転し始めても、本実施形態では、その球面ころ３の外周面３２が柱部５１の周方向側面５１ａに接触し、その回転が制限される。この球面ころ３の回転量は、当該球面ころ３の外周面３２と、柱部５１の周方向側面５１ａとの隙間Ｋ１に依存する。
なお、この球面ころ３が仮想線Ｌ１を中心として時計回り方向（図３の矢印ｒ１）に回転し始めた場合に、その球面ころ３の端面３３が円環部５０の軸方向側面５０ａに、（前記のように球面ころ３が柱部５１に接触するよりも）先に接触し、その回転が制限される構成であってもよい。この場合、球面ころ３の回転量は、当該球面ころ３の端面３３と、円環部５０の軸方向側面５０ａとの隙間Ｋ２に依存する。
【００２７】
また、軸方向他方側（図３では右側）においても同様であり、球面ころ３が仮想線Ｌ１を中心として反時計回り方向（図３の矢印ｒ２）に回転し始めても、本実施形態では、その球面ころ３の外周面３２が柱部５１の周方向側面５１ａに接触し、その回転が制限される。この球面ころ３の回転量は、当該球面ころ３の外周面３２と、柱部５１の周方向側面５１ａとの隙間Ｋ１に依存する。
なお、この球面ころ３が例えば仮想線Ｌ１を中心として反時計回り方向（図３の矢印ｒ２）に回転し始めた場合に、その球面ころ３の端面３３が円環部５０の軸方向側面５０ａに、（前記のように球面ころ３が柱部５１に接触するよりも）先に接触し、その回転が制限される構成であってもよい。この場合、球面ころ３の回転量は、当該球面ころ３の端面３３と、円環部５０の軸方向側面５０ａとの隙間Ｋ２に依存する。
【００２８】
そして、各球面ころ３が大きく仮想線Ｌ１回りに回転しないように、前記隙間Ｋ１（Ｋ２）は所定寸法に設定されている。つまり、各ポケット５３は、球面ころ３との間に所定の大きさの隙間Ｋ１（Ｋ２）を有して仮想線Ｌ１回りの回転を許容しているが、各ポケット５３（隙間Ｋ１（Ｋ２））は、この球面ころ３の仮想線Ｌ１回りの回転を制限する大きさに設定されている。
【００２９】
このように球面ころ３が仮想線Ｌ１回りに微小角度について回転すると、その球面ころ３の端面３３の一部は、図４から図５に示すように、案内輪６の側面６０に接近する。なお、図４は、案内輪６及びその周囲を示す断面図であり、球面ころ３の回転前の状態（球面ころ３のころ中心線が縦断面上に存在している状態）を示している。また、図５は、案内輪６及びその周囲を示す断面図であり、球面ころ３が微小角度について回転した状態を示している。球面ころ３が回転する前記微小角度は、保持器５のポケット５３（図３参照）内で球面ころ３がポケット面（５１ａ）との接触により制限されて最大量について回転した場合の回転角度である。つまり、前記微小角度は、許容される最大回転角度である。
そして、このように球面ころ３が最大量について回転しても、図５に示すように、この球面ころ３の端面３３は、案内輪６の側面６０に接触しない。
【００３０】
このように両者を接触させないために、本実施形態では、案内輪６の側面６０の形状（以下、側面形状ともいう。）を凹形状としている。具体的に説明すると、図８（Ｂ）により説明したように、球面ころ３が仮想線Ｌ１回りに回転すると、縦断面においてその球面ころ３の端面３３は凸曲面となることから、この端面３３と接触しないように、案内輪６（図５参照）は、前記側面形状として凹形状を有している。この凹形状は、径方向中間部Ｈ１でこの案内輪６の軸方向寸法Ｅ１が小さくなり、径方向内側部Ｈ２でこの案内輪６の軸方向寸法Ｅ２が拡大している形状である（Ｅ１＜Ｅ２）。
【００３１】
以上のように（図５に示すように）、ポケット５３内で球面ころ３が制限される最大量について仮想線Ｌ１回りに回転しても、この球面ころ３の端面３３と案内輪６の側面６０との間に微小隙間ｇ１を確保することのできる側面形状を、案内輪６は有している。
【００３２】
このような案内輪６が有する凹形の側面形状を、軸方向一方側の側面６０のみならず、軸方向他方側の側面６０においても同様に有している。つまり、軸方向両側の球面ころ３，３がそれぞれ、ポケット５３内で制限される最大量について仮想線Ｌ１回りに回転しても、これら球面ころ３，３それぞれの端面３３と案内輪６の側面６０との間に、微小隙間ｇ１を確保することのできる側面形状を、案内輪６は有している。
【００３３】
本実施形態の案内輪６を備えている自動調心ころ軸受によれば、球面ころ３が外軌道面１１及び内軌道面２１それぞれとの接触点Ｐ１，Ｐ２を通過する仮想線Ｌ１回りに回転しても、その球面ころ３と案内輪６とが接触するのを防ぐことができる（図５参照）。このため、案内輪６が摩耗する等の不具合の発生を抑えることができ、案内輪６の摩耗粉が例えば軌道面１１，２１に付着し、軸受寿命に悪影響を及ぼすのを防ぐことが可能となる。
【００３４】
特に、軸方向両側の球面ころ３，３が相互で異なる方向（図３において、矢印ｒ１と矢印ｒ２との方向）に回転した場合であっても、これら球面ころ３，３それぞれと案内輪６との間には隙間ｇが確保される。仮に、これら隙間ｇが形成されない場合、軸方向両側の球面ころ３，３が案内輪６を軸方向両側から挟んだ状態となり、案内輪６の自由な回転を妨げることとなり、案内輪６が摩耗してしまう。しかし、本実施形態によれば、案内輪６の自由な回転が球面ころ３，３によって阻害されず、案内輪６の摩耗を抑制することができる。
【００３５】
また、本実施形態の案内輪６（図４及び図５参照）では、径方向中間部Ｈ１で案内輪６の軸方向寸法Ｅ１が小さくなっているが、径方向内側部Ｈ２で案内輪６の軸方向寸法Ｅ２が拡大していることから、この案内輪６は内輪２の円筒面２２との接触領域を増やすことができる。このため、両者間の接触面圧が高くなるのを防ぎ、案内輪６は内輪２に安定して径方向について支持される。
【００３６】
このように案内輪６は、径方向内側部Ｈ２において軸方向寸法Ｅ２が拡大しているが、この拡大部６１が、仮想線Ｌ１回りに回転した球面ころ３の端面３３には接触しない。これは、図５に示すように、この拡大部６１は、球面ころ３の端面３３と外周面３２との境界部に形成されている面取り部３４と対向するためである。
【００３７】
また、本実施形態では、前記のとおり（図２参照）、保持器５が備えている円環部５０は、その内周側に、案内輪６の外周面６２に接触可能となる接触部５５を有している。円環部５０の内周部において（図５参照）、接触部５５は、円環部５０の軸方向両側の内周面５０ｂから径方向内側へ隆起して形成された部分である。
そして、案内輪６の外周面６２の軸方向寸法Ｅ３は、接触部５５の軸方向寸法Ｅ４よりも大きい（Ｅ３＞Ｅ４）。このため、両者間の接触面圧が高くなるのを防ぎ、案内輪６が円環部５０（保持器５）を安定して支持することのできる構成が得られる。
前記のとおり、案内輪６と球面ころ３とが接触しないように、案内輪６の径方向中間部Ｈ１において軸方向寸法Ｈ２を小さくしているが、円環部５０（保持器５）を安定して支持するために、案内輪６の外周面６２側では軸方向寸法Ｅ３を大きくしている。
【００３８】
図６は、案内輪６の側面６０を示す拡大図である。この側面６０の形状について更に説明する。図６では、球面ころ３を二点鎖線で示しており、この球面ころ３は仮想線Ｌ１（図３参照）回りに回転した状態である。
案内輪６は、径方向内側の前記拡大部（第１拡大部）６１の他に、径方向外側に第２の拡大部６５を有している、これら拡大部６１，６５の間に縮小部６６が設けられていることにより、全体として側面６０が凹形状となる。拡大部６１，６５では、案内輪６の軸方向寸法が縮小部６６よりも大きくなっている。
【００３９】
そして、案内輪６の側面６０は、径方向外側の端部に面取り部６５ａを有している。更に、この側面６０は、面取り部６５ａの径方向内側に、ストレート面６５ｂを有している。ストレート面６５ｂは、案内輪６の軸線（軸受の軸線）に直交する面に沿って形成されている面である。自動調心ころ軸受では、球面ころ３の端面３３は軸受の軸線に直交する面に対して傾斜する。このため、図６に示すように、ストレート面６５ｂと球面ころ３の端面３３との間に形成される隙間ｇ２は、径方向外側に向かって広くなっており、この隙間ｇ２を通じて案内輪６の径方向外側に存在する潤滑油を案内輪６の側面６０と球面ころ３の端面３３との間に浸入させ、油膜を形成しやすくしている。
【００４０】
ストレート面６５ｂの径方向内側には、テーパ面６５ｃが設けられている。テーパ面６５ｃは、案内輪６の軸線（軸受の軸線）に直交する面に対して傾斜しており、図６に示すように、縦断面において直線形状を有している。このように直線形状とすることで凹形状をできるだけ単純な形状としている。
そして、このテーパ面６５ｃの径方向内側に凹アール面６５ｄが設けられている。この凹アール面６５ｄは、縦断面において凹形状となっていて、一定の曲率半径Ｒａを有している。凹アール面６５ｄは、テーパ面６５ｃ及びその径方向内側の凸アール面６５ｅと滑らかに連続している。
凸アール面６５ｅは、縦断面において凸形状となっていて、一定の曲率半径Ｒｂを有している。この凸アール面６５ｅは、拡大部６１の側面を構成する。
以上のように、できるだけ単純な形状により案内輪６の側面６０を凹形状としている。
【００４１】
図７は、案内輪６の変形例を説明するための断面図である。図７に示す球面ころ３は仮想線Ｌ１（図３参照）回りに回転した状態である。図７に示す案内輪６では、図５に示す案内輪６と比較すると、径方向内側の拡大部６１が省略されている。その他については同じである。図７に示す形態においても、前記実施形態と同様に、保持器５が有するポケット（図３参照）５３は、球面ころ３との間に隙間Ｋ１，Ｋ２を有して球面ころ３の仮想線Ｌ１回りの回転を許容しているが、ポケット５３（隙間Ｋ１，Ｋ２）は、この球面ころ３の仮想線Ｌ１回りの回転を微小角度に制限する大きさに設定されている。
そして、このポケット５３内で球面ころ３が制限される最大量について仮想線Ｌ１回りに回転しても、この球面ころ３の端面３３と、案内輪６の側面６０との間に微小隙間ｇ１を確保することのできる側面形状を、この案内輪６は有している。
【００４２】
この図７に示す案内輪６を備えた自動調心ころ軸受においても、球面ころ３が仮想線Ｌ１回りに回転しても、その球面ころ３と案内輪６とが接触するのを防ぐことができ、案内輪６が摩耗する等の不具合の発生を抑えることができる。この結果、案内輪６の摩耗粉が軌道面１１，２１に付着し、軸受寿命に悪影響を及ぼすのを防ぐことが可能となる。
【００４３】
なお、本発明の自動調心ころ軸受は、図示する形態に限らず本発明の範囲内において他の形態のものであってもよい。
例えば、保持器５の形状も、図示した形態以外であってもよい。また、保持器５のポケット５３における球面ころ３との前記隙間Ｋ１（Ｋ２）について、様々な値に設定することができ、その値に応じて案内輪６の側面６０における凹形状が決定される。
【符号の説明】
【００４４】
１：外輪      ２：内輪      ３：球面ころ
５：保持器      ６：案内輪      １１：外軌道面
２１：内軌道面      ５０：円環部      ５１：柱部
５３：ポケット      ５５：接触部      ６０：側面
６２：外周面      Ｐ１：接触点      Ｐ２：接触点
Ｌ１：仮想線      Ｋ１：隙間      Ｋ２：隙間
Ｈ１：径方向中間部      Ｈ２：径方向内側部      Ｅ１：軸方向寸法
Ｅ２：軸方向寸法      Ｅ３：軸方向寸法      Ｅ４：軸方向寸法
ｇ１：微小隙間
【図１】
0006544000.tif 000002
【図２】
0006544000.tif 000003
【図３】
0006544000.tif 000004
【図４】
0006544000.tif 000005
【図５】
0006544000.tif 000006
【図６】
0006544000.tif 000007
【図７】
0006544000.tif 000008
【図８】
0006544000.tif 000009
【図９】
0006544000.tif 000010